(57)【要約】      （修正有）【課題】クリップボードより大きな用紙を挟み込んで原稿台として使用することが可能なクリップボードを提供する。【解決手段】ボード１の裏面に支持片３を揺動自在に設ける。支持片３にてボード１を立設するように構成する。支持片３にて立設したボード１が原稿台になるように構成する。原稿台として使用するボード１の前面下端部にクリップ金具２を配置する。クリップ金具２の開閉する上端部に用紙Ｐを挟み込むように構成する。ボード１の裏面を薄肉状に形成した収納凹部に支持片３を収納する。収納凹部から支持片３が開閉自在に揺動するように構成する。ボード１と支持片３の内側とに設けられた固定具４で支持片３を固定する。【選択図】図５
0003193103.tif 000002
【実用新案登録請求の範囲】
【請求項１】
ボードの前面に用紙を挟み込むクリップ金具を備えたクリップボードにおいて、ボードの裏面に支持片を揺動自在に設け、該支持片にて立設したボードが原稿台になるように構成し、原稿台として使用するボードの前面下端部にクリップ金具を配置し、該クリップ金具の開閉する上端部に用紙を挟み込むように設けたことを特徴とするクリップボード。
【請求項２】
前記支持片は、前記ボードの裏面を薄肉状に形成した収納凹部に収納される板状を成し、該収納凹部に前記支持片を収納すると前記ボードと前記支持片とが一体化して１枚の板状になるように形成すると共に、該収納凹部に前記支持片の一端側を揺動自在に連結し、収納凹部から開閉する前記支持片にて前記ボードを立設するように構成した請求項１記載のクリップボード。
【請求項３】
前記支持片は、前記ボードに設けられた固定具に着脱自在に固定されるように構成した請求項１記載のクリップボード。
【請求項４】
前記固定具は、前記ボードの前記収納凹部内と前記支持片の内側とに設けられた面ファスナーにて構成された請求項３記載のクリップボード。
【考案の詳細な説明】
【技術分野】
【０００１】
本考案は、原稿台として使用可能なクリップボードに関し、特にボードよりも大きな用紙を支持することができるクリップボードに関する。
【背景技術】
【０００２】
原稿台として使用可能なクリップボードは、既に特許文献１や特許文献２に提案されている。特許文献１のクリップボードは、２枚のボードの上端をヒンジ部で連結して各ボードを開閉自在に設けたもので、一方のボードの上部に用紙を挟み込むクリップ金具を取り付けている。
【０００３】
そして、用紙を支持する原稿台として使用する際は、２枚のボードを開いて立てた状態で使用し、クリップ金具に挟み込んだ用紙に記入するバインダーとして使用する際は、各ボードを重ねた状態で使用するものである。
【０００４】
一方、特許文献２に記載のクリップボードは、ボードの裏面に弾性板から成る支持片を設けたもので、この支持片を開いてクリップボードを立設し、原稿台として使用するものである。
【先行技術文献】
【特許文献】
【０００５】
【特許文献１】実用新案登録第３１３９０７７号公報
【特許文献２】実公平３-３５５８１号公報
【考案の開示】
【考案が解決しようとする課題】
【０００６】
ところが、いずれのクリップボードも、用紙を挟み込むための止め金具は、ボードの上端部に設けられているので、用紙はこの止め金具に吊り下げられた状態になる。そのため、クリップボードを原稿台として使用する際に、クリップボードに挟み込む用紙のサイズは、クリップボードのサイズよりも小さい用紙に限定されていた。
【０００７】
この結果、従来のクリップボードを立設して原稿台として使用する際に、例えば楽譜のような大きなサイズの用紙を従来のクリップボードに支持することは困難な構成になっていた。
【０００８】
しかも、特許文献１に記載のクリップボードは、２枚のボードを使用するものであるから、用紙に記入するバインダーとして使用する際に、これら２枚のボードを重ねて使用することになる。そのため、従来の１枚構造のクリップボードに比べて重量が増大し、携帯性に不都合が生じるものであった。
【０００９】
更に、特許文献２に記載のクリップボードは、支持片を弾性板にて形成することで、弾性板の湾曲によりクリップボードの傾斜角度を変えることができるようにしている。ところが、用紙の重量が増大すると支持片が重量で変形するので、常に同じ角度で支持することができない不都合がある。
【００１０】
そこで本考案は、上述の課題を解消すべく案出されたもので、クリップボードを原稿台として使用する際に、ボードのサイズより大きなサイズの用紙を挟み込んで支持することが可能で、しかも用紙の重量が増しても特定の角度で支持することができ、更には軽量で携帯性に優れたクリップボードの提供を目的とする。
【課題を解決するための手段】
【００１１】
本考案の第１の手段は、ボード１の前面に用紙Ｐを挟み込むクリップ金具２を備えたクリップボードにおいて、ボード１の裏面に支持片３を揺動自在に設け、該支持片３にて立設したボード１が原稿台になるように構成し、原稿台として使用するボード１の前面下端部にクリップ金具２を配置し、該クリップ金具２の開閉する上端部に用紙Ｐを挟み込むように設けたことにある。
【００１２】
第２の手段において、前記支持片３は、前記ボード１の裏面を薄肉状に形成した収納凹部１Ａに収納される板状を成し、該収納凹部１Ａに前記支持片３を収納すると前記ボード１と前記支持片３とが一体化して１枚の板状になるように形成すると共に、該収納凹部１Ａに前記支持片３の一端側を揺動自在に連結し、収納凹部１Ａから開閉する前記支持片３にて前記ボード１を立設するように構成している。
【００１３】
第３の手段において、前記支持片３は、前記ボード１に設けられた固定具４に着脱自在に固定されるように構成している。
【００１４】
第４の手段において、前記固定具４は、前記ボード１の前記収納凹部１Ａ内と前記支持片３の内側とに設けられた面ファスナーにて構成されたものである。
【考案の効果】
【００１５】
本考案の請求項１の如く、ボード１の前面に用紙Ｐを挟み込むクリップ金具２を備えたクリップボードにおいて、ボード１の裏面に支持片３を揺動自在に設け、該支持片３にて立設したボード１が原稿台になるように構成し、原稿台として使用するボード１の前面下端部にクリップ金具２を配置し、クリップ金具２の開閉する上端部に用紙Ｐを挟み込むように設けたことにより、ボード１を原稿台として使用する際に、クリップボードより大きなサイズの用紙を挟み込むことが可能になった。この結果、例えば楽譜などのサイズの大きな用紙Ｐでもクリップ金具２に支持することができ、ボード１を楽譜台として使用することができる。
【００１６】
請求項２のように、前記支持片３は、前記ボード１の裏面を薄肉状に形成した収納凹部１Ａに収納される板状を成し、該収納凹部１Ａに前記支持片３を収納すると前記ボード１と前記支持片３とが一体化しているので、クリップ金具２をボード１の上にして通常のバインダーとして使用することができる。
【００１７】
しかも、ボード１に支持片３が一体化して１枚の板状になるので、２枚のボードを使用する従来のクリップボードのように重量が増大する虞はなく、軽量で携帯性に優れるものである。
【００１８】
また、収納凹部１Ａに支持片３の一端側を揺動自在に連結し、収納凹部１Ａから開閉する支持片３にてボード１を立設するように構成しているので、弾性板にて支持片を形成した従来のクリップボードのように、弾性板の湾曲により特定の角度で支持することが困難になるといった不都合は解消され、用紙の重量が増しても特定の角度で支持することができるものである。
【００１９】
請求項３、４記載の固定具４の構成により、支持片３が不要な場合は、収納凹部１Ａに収納した支持片３を固定するので、不意に支持片３が開く虞はない。したがって、収納凹部１Ａに収納した支持片３を１枚のボード１と同様に扱うことができる。
【００２０】
このように本考案によると、クリップボードのサイズより大きなサイズの用紙を挟み込んで原稿台として使用することが可能で、しかも、用紙の重量が増しても特定の角度で支持することができ、軽量で携帯性に優れたクリップボードを提供することが可能である。
【図面の簡単な説明】
【００２１】
【図１】本考案の一実施例を示す斜視図である。
【図２】本考案の使用状態を示す側面図である。
【図３】本考案の一実施例を示す背面図である。
【図４】本考案の支持片と収納凹部を示す斜視図である。
【図５】本考案の他の実施例を示す斜視図である。
【考案を実施するための形態】
【００２２】
本考案クリップボードは、ボード１の前面に用紙Ｐを挟み込むクリップ金具２を備え、ボード１の裏面に支持片３を揺動自在に設けたものである（図１参照）。そして、支持片３にて立設したボード１が原稿台になるように構成している。図示のボード１は、横長の板体を成しているが、縦長のボード１にすることも可能である（図５参照）。
【００２３】
クリップ金具２は、原稿台として使用するボード１の前面下端部に配置する（図１参照）。すなわち、クリップ金具２の開閉する上端部に用紙Ｐを挟み込むように構成したものである（図２参照）。クリップ金具２の位置をボード１の前面下端に配置することで、ボード１を原稿台として使用する際に用紙Ｐのサイズは自由に選択できるものになる。
【００２４】
また、ボード１をバインダーとして使用する際は、用紙Ｐがボード１と同じサイズ又はボード１より小さいものが使用される。この場合、クリップ金具２を上にして使用することで、従来のバインダーと同じ使用が可能になるので、用紙Ｐに記入する作業等に支障は生じない（図示せず）。
【００２５】
このように、本考案クリップボードのボード１は、バインダーや原稿台としての使用が可能になり、原稿台として使用する際に、用紙Ｐのサイズを自由に選択することができるものである。
【００２６】
ボード１を立設する支持片３は、ボード１の裏面を薄肉状に形成した収納凹部１Ａに収納されている。そして、この収納凹部１Ａに支持片３の一端側を揺動自在に連結し、支持片３が収納凹部１Ａから開閉自在になるように構成している。
【００２７】
図示の支持片３は板状を成し、収納凹部１Ａに収納すると、支持片３とボード１とが一体化して１枚の板状になるように構成している（図３参照）。そして、原稿台してボード１を立設する際に、収納凹部１Ａから開いた支持片３でボード１を支持するものである（図２参照）。
【００２８】
この支持片３は、ボード１に設けられた固定具４に着脱自在に止着されるように構成されている（図４参照）。この固定具４は、支持片３を着脱自在に固定することで、不使用時の支持片３が開かないようにするものである（図３参照）。この固定具４は、例えば磁石やホック、あるいは係止フックなど、任意の固定具４を選択できるもので、要は、不使用時の支持片３が開かないようにするものであればよい。
【００２９】
図示の固定具４は、収納凹部１Ａの内部と支持片３とに設けた面ファスナーを使用している（図４参照）。すなわち、ボード１の収納凹部１Ａ内と支持片３の内側に、面ファスナーのオス側とメス側とをそれぞれ接着しておき、支持片３を収納凹部１Ａ内に収納するだけで固定具４に貼り付くように構成している。
【００３０】
尚、ボード１及びクリップ金具２の形状やサイズ、あるいは収納凹部１Ａや支持片３の形状や構造等は、本考案の要旨を変更しない範囲において自由に選択することができる。
【符号の説明】
【００３１】
Ｐ  用紙
１  ボード
１Ａ  収納凹部
２  クリップ金具
３  支持片
４  止着具
【図１】
0003193103.tif 000003
【図２】
0003193103.tif 000004
【図３】
0003193103.tif 000005
【図４】
0003193103.tif 000006
【図５】
0003193103.tif 000007